(57)【要約】      （修正有）【課題】ゴルフのパター及びショートアイアンのスイング動作を練習する装置を提供する。【解決手段】立て枠１と、直線スライドレールセット２と、クラブ固定器３とを備え、直線スライドレールセット２は立て枠1に取り付けられる第一レール２１と、第一レール２１に取り付けられる第二レール２２と、第一レール２１と第二レール２２の間に設置されるローリングボールとを備える。また、第二レール２２はローリングボールを通じて第一レール２１に沿って直線的にスライドすることができる。さらに、クラブ固定器３は固定ユニット３１と、固定ユニット３１を連接する自在回転ユニット３２を備え、固定ユニット３１はクラブの固定に用いられ、自在回転ユニット３２は第二レール２２に結合される。よって、ビギナーはクラブを固定ユニット３１に取り付け、クラブは自在回転ユニット３２を通じてスイングされ、直線スライドレールセット２を通じて繰り返し直線移動される。【選択図】図１
0003171391.tif 000002
【実用新案登録請求の範囲】
【請求項１】
ゴルフのパター及びショートアイアンのスイング動作を練習する装置であって、
立て棒を備える立て枠と、直線スライドレールセットと、クラブ固定器と、を含み、
前記直線スライドレールセットは、立て棒に水平方向に取り付けられる第一レールと、第一レールの一面に移動可能に取り付けられる第二レールと、第一レールと第二レールの間に設置されるローリングボールとを備え、第二レールはローリングボールを通じて第一レールに沿って直線的にスライドすることができ、
前記クラブ固定器は、固定ユニットと、固定ユニットを連接する自在回転ユニットとを備え、固定ユニットはクラブの固定に用いられ、自在回転ユニットは第二レールに結合され、
クラブが自在回転ユニットを通じてスイングされるとともに、直線スライドレールセットを通じて繰り返し直線移動されることを特徴とするゴルフのパター及びショートアイアンのスイング動作を練習する装置。
【請求項２】
前記固定ユニットは、更にスリーブを含み、スリーブはクラブのシャフトに対応するテーパー孔と、スリーブの筒壁を開く割り溝と、を備え、前記自在回転ユニットは、一端がスリーブの筒壁に連接されることを特徴とする請求項１に記載のゴルフのパター及びショートアイアンのスイング動作を練習する装置。
【請求項３】
前記自在回転ユニットは、基座と、基座に回転可能に取り付けられる第一活動部材と、第一活動部材に枢接される第二活動部材と、を備え、基座は、前記第二レールに結合され、第二活動部材は、一端が前記固定ユニットに連接されることを特徴とする請求項２に記載のゴルフのパター及びショートアイアンのスイング動作を練習する装置。
【請求項４】
前記立て枠は、更に底座と、底座に結合されるステップと、を含み、前記立て棒は、底座に位置調整可能に組み付けられることを特徴とする請求項１に記載のゴルフのパター及びショートアイアンのスイング動作を練習する装置。
【請求項５】
前記直線スライドレールセットは、更に外覆いを含み、外覆いは、一方の側面に凹溝が設けられ、他方の側面が前記立て棒に組み付けられ、前記第一レールは外覆いの凹溝内に固定されることを特徴とする請求項１に記載のゴルフのパター及びショートアイアンのスイング動作を練習する装置。
【考案の詳細な説明】
【技術分野】
【０００１】
本考案はゴルフ(golf)のパター(putter)及びショートアイアン(short iron)のスイング(swing)動作をする練習装置に関し、特にゴルフのビギナー(beginner)への協力援助に用いられ、パター及びショートアイアンのスイング動作の快速な習得に適応する練習装置に関する。
【背景技術】
【０００２】
ゴルフについて言えば、如何にして正確な打球動作とスイングの姿勢を習得するかは入門初級者の重要な課題であり、ビギナーは不断な動作の模擬訓練を通じて、逐次正確なパター及びショートアイアン等の各種打球動作に適応することができ、それによってゴルフボール(ball)の径路方向及び移動距離を習熟把握するので、ビギナーは繰り返し練習し、並びに適時にスイングまたはパター等の動作を修正し、一貫不変の正確なスイング動作を養成しなければならない。ところで、ビギナーは通常グリン(green)、ラフ(rough)、または不特定場所で打球動作を模擬し、毎回の模擬動作または姿勢は必ずしも同様といえず、個人の当時の感覚によって模索するので、短期間内で正確な打球動作を習得するのは確かに難しく、かつ即時有効な修正を獲得するのもできない。そのため、長期間間違っても分からず、往々にして長期的経験の累積を経てから心得ることになる。
【考案の概要】
【考案が解決しようとする課題】
【０００３】
本考案の目的はゴルフのパター及びショートアイアンのスイング動作を練習する装置を提供するもので、それは立て枠に結合された直線スライドレールセット(slide rail set)、及び直線スライドレールセットに結合されたクラブ固定器の設計を用い、本物のゴルフクラブをクラブ固定器に取り付け、クラブ固定器の自在枢接構造及び直線スライドレールセットを通じ、ビギナーはパター及びショートアイアンのスイング等の動作を快速に適応し、直ちに習熟することを提供し、短時間内において正確なパター及びショートアイアンのスイング等の動作を習得することができる装置を提供することにある。
【０００４】
本考案のもう一つの目的は直線スライドレールセットの選択使用及びクラブ固定器の構造設計を通じて、練習装置の構造がより精巧になり、製造と組み立てのコスト(cost)を低減するゴルフのパター及びショートアイアンのスイング動作を練習する装置を提供することにある。
【課題を解決するための手段】
【０００５】
前述目的を達成するため、本考案ゴルフのパター及びショートアイアンのスイング動作を練習する装置は、立て棒を備える立て枠と、直線スライドレールセットと、クラブ固定器と、を含み、水平方向に立て棒に取り付けられる第一レールと、第一レールの一面に可動的に取り付けられる第二レールと、第一レールと第二レールの間に設置されるローリングボール(rolling ball)と、を備え、第二レールはローリングボールを通じて第一レールに沿って直線的にスライドし、クラブ固定器は固定ユニット(unit)と、固定ユニットを連接する自在回転ユニットと、を備え、固定ユニットはクラブの固定に用いられ、自在回転ユニットは第二レールに結合され、それによってクラブは自在回転ユニットを通じてスイングされるとともに、前記直線スライドレールセットを通じて繰り返し直線移動されることを特徴とする。
【０００６】
前記固定ユニットは、スリーブ(sleeve)を含み、スリーブにはクラブのシャフト(shaft)と組み合わせるテーパー(taper)孔と、スリーブの筒壁を開く割り溝と、を備え、前記自在回転ユニットの一端はスリーブの筒壁に連接される。
【０００７】
前記自在回転ユニットは基座と、基座と回転可能に組み合わせる第一活動部材と、第一活動部材に枢接される第二活動部材とを含み、基座は前記第二レールに結合され、第二活動部材の一端は前記固定ユニットに連接される。
【０００８】
前記立て枠は更に底座と、底座に結合されるステップ(step)とを含み、前記立て棒は底座に調整可能に組み付けられる。
【０００９】
更に外覆いを含み、外覆いの一側面には凹溝が設けられ、他の一側面は前記立て棒に組み付けられ、前記直線スライドレールセットの第一レールは外覆いの凹溝内に固定される。
【考案の効果】
【００１０】
本考案のゴルフのパター及びショートアイアンのスイング動作を練習する装置はビギナーにクラブを固定ユニットのスリーブのテーパー孔に取り付けることを提供し、ビギナーがクラブを握って練習した場合は、自在回転ユニットを通じてクラブをスイングする動作を練習することができ、直線スライドレールセットを通じて繰り返し直線移動の動作を実施することができ、更に正確にゴルフのパター及びショートアイアンのスイング動作を練習する効果が達成される。また、本考案の直線スライドレールセット及び固定ユニットの設計を通じて、ゴルフのパター及びショートアイアンのスイング動作を練習する装置は、構造がより精巧になり、製造と組み立てのコストが低減される。
【図面の簡単な説明】
【００１１】
【図１】本考案の好適な実施例の全体斜視図である。
【図２】本考案の好適な実施例の分解斜視図である。
【図３】本考案の好適な実施例の平面図である。
【図４】本考案の好適な実施例のA-A線の断面図である。
【図５】本考案の好適な実施例のクラブ取り付け動作の斜視図（その１）である。
【図６】本考案の好適な実施例のクラブ取り付け動作の斜視図（その２）である。
【図７】本考案の好適な実施例に外覆いを取り付けた場合の全体斜視図である。
【図８】本考案の好適な実施例に外覆いを取り付けた場合の全体分解斜視図である。
【図９】本考案の好適な実施例の練習動作の説明図である。
【図１０】本考案の好適な実施例の直線スライドレールセットの作動方式の説明図である。
【図１１】本考案の好適な実施例のクラブ固定器の作動方式の説明図である。
【考案を実施するための形態】
【００１２】
本考案のゴルフのパター及びショートアイアンのスイング動作を練習する装置は、図１乃至図３に示すように、ゴルフのビギナーへの練習援助に用いられ、正確なパター及びショートアイアンのスイング動作を快速に習得及び適応する練習装置である。その好適な実施例は立て枠1と、直線スライドレールセット2と、クラブ固定器3とを含む。
【００１３】
立て枠1は地面に置くことに用いられる構造体であり、底座11と、底座11に結合されるステップ12と、底座11に結合される立て棒13とを含み、立て棒13は調整可能に底座11に組み立てられる。
【００１４】
直線スライドレールセット2は横方向に立て棒13の一側面に取り付けられる門型の第一レール21と、第一レール21の一面凹部に可動的に取り付けられる第二レール22と、第一レール21と第二レール22の間に設置されるローリングボール23とを含む（図４を参照）。これにより、第二レール22はローリングボール23を通じて第一レール21に沿って直線的にスライドすることができる。
【００１５】
クラブ固定器3は固定ユニット31と、固定ユニット31に連接される自在回転ユニット32とを含み、固定ユニット31はクラブの取り付け固定に用いられ、自在回転ユニット32は直線スライドレールセット2の第二レール22に結合される。
【００１６】
前記立て枠1、直線スライドレールセット2及びクラブ固定器3によって、本考案のゴルフのパター及びショートアイアンのスイング動作を練習する装置を組み立てることができる。図９に示すように、ビギナーはクラブ10をクラブ固定器3の固定ユニット31に取り付け、クラブ10を握って練習する場合、図１０及び図１１に示すように、クラブ10を自在回転ユニット32に従ってスイングすることができ、クラブ10を直線スライドレールセット2に従って繰り返し直線移動することができ、ビギナーにパター及びショートアイアンのスイング動作を繰り返し行うことが提供される。
【００１７】
図２乃至図４に示すように、本考案のクラブ固定器3の固定ユニット31の好適な実施例はスリーブ311を含み、スリーブ311はクラブのシャフトに組み合わせるテーパー孔312と、スリーブ311の筒壁を開く割り溝313とを備え、かつ前記自在回転ユニット32の一端はスリーブ311の筒壁に連接される。図５と図６に示すように、使用者はクラブ10をテーパー孔312に置き込むまでクラブ10の細い部分を割り溝313に通し、更にクラブ10をテーパー孔312に押し込んで緊密に組み合わせ、スリーブ311を用いてクラブ10を挟み持ち、かつテーパー孔312を用いて正確にクラブ10のセンターを定位する機能を達成する。
【００１８】
図２と図４に示すように、本考案のクラブ固定器3の自在回転ユニット32の好適な実施例は基座321と、基座321に回転可能に組み合わせられる第一活動部材322と、第一活動部材322に枢接される第二活動部材323とを含み、基座321は前記第二レール22に結合され、第二活動部材323の一端は前記固定ユニット31に連接される。
【００１９】
このほか、図７と図８に示すように、本考案の好適な実施例は更に外覆い4を含み、外覆い4の一側面には凹溝41が設けられ、別の側面は立て枠1の立て棒13の一側面に組み付けられ、これによって、前記直線スライドレールセット2の第一レール21を外覆い4の凹溝41内に組み合わせて固定し、直線スライドレールセット2を外覆い4の中に隠し、ゴルフのパター及びショートアイアンのスイング動作を練習する装置の美観効果を増進する。
【００２０】
図９に示すように、本考案は特にゴルフのビギナーのパター及びショートアイアンのスイング動作の練習に適合する。すなわち、クラブ10を上記方式によってクラブ固定器3の固定ユニット31のスリーブ311に取り付け、かつ立て枠1のステップ12に表示された位置に立つ。そして、手でクラブ10をグリップ(grip)してパターまたはショートアイアンのスイング動作を行うことができると同時に、随時姿勢、動作及び角度を調整することができる。このようにして、パターまたはショートアイアンの標準動作を詳しく分かるまで繰り返し練習する。図１０には練習時にクラブ10を直線スライドレールセット2に従って繰り返し直線移動させる状況を示す。図１１には角度を調整してクラブ10を自在回転ユニット32に従ってスイングさせる状況を示す。これにより、ビギナーはパター及びショートアイアンのスイング動作の練習を繰り返し行うことができる。なお、本考案は直線スライドレールセット2及びクラブ固定器3の構造設計を採用し、前記直線スライドレールセット2は既成のスライドレール製品であるが、クラブ固定器3の構造は極めて精巧であるので、コスト低減の効果を得ることができる。
【符号の説明】
【００２１】
1：立て枠
10：クラブ
11：底座
12：ステップ
13：立て棒
2：直線スライドレールセット
21：第一レール
22：第二レール
23：ローリングボール
3：クラブ固定器
31：固定ユニット
311：スリーブ
312：テーパー孔
313：割り溝
32：自在回転ユニット
321：基座
322：第一活動部材
323：第二活動部材
4：外覆い
41：凹溝
【図１】
0003171391.tif 000003
【図２】
0003171391.tif 000004
【図３】
0003171391.tif 000005
【図４】
0003171391.tif 000006
【図５】
0003171391.tif 000007
【図６】
0003171391.tif 000008
【図７】
0003171391.tif 000009
【図８】
0003171391.tif 000010
【図９】
0003171391.tif 000011
【図１０】
0003171391.tif 000012
【図１１】
0003171391.tif 000013